(57)【特許請求の範囲】
【請求項１】
録画再生装置であって、
入力された映像信号を圧縮処理する録画部と、
前記圧縮処理された信号を記憶するランダムアクセス可能な記憶媒体と、
前記記憶媒体に記憶された信号を伸長処理する再生部と、
前記録画部と前記再生部とを制御して録画中におけるタイムシフト再生を行うタイムシフト部と、
視聴者の視聴状況を処理して視聴者情報を外部に送出する視聴者情報出力部と、
前記送出された視聴者情報を用いて集計された視聴率情報を取り込んで処理し、該処理結果に基づいて前記タイムシフト部の動作を制御する外部情報処理部と、
前記タイムシフト再生時に、前記視聴率情報に応じた異なる圧縮率で前記記憶媒体から読み出した信号を圧縮する圧縮部と、
を具備することを特徴とする録画再生装置。
【請求項２】
録画再生装置であって、
入力された映像信号を圧縮処理する録画部と、
前記圧縮処理された信号を記憶するランダムアクセス可能な記憶媒体と、
前記記憶媒体に記憶された信号を伸長処理する再生部と、
前記録画部と前記再生部とを制御して録画中におけるタイムシフト再生を行うタイムシフト部と、
視聴者の視聴状況を処理して視聴者情報を外部に送出する視聴者情報出力部と、
前記送出された視聴者情報を用いて集計された視聴率情報を取り込んで処理し、該処理結果に基づいて前記タイムシフト部の動作を制御する外部情報処理部と、
前記録画時に、前記視聴率情報に応じた異なる圧縮率で前記記憶媒体に記憶される信号を圧縮する圧縮部と、
を具備することを特徴とする録画再生装置。
【請求項３】
前記視聴者情報は、リアルタイムで視聴の有無を識別する情報であることを特徴とする請求項１または２に記載の録画再生装置。
【請求項４】
前記外部情報処理部は、電話回線または放送波を介して前記視聴率情報を取り込むことを特徴とする請求項１から３のいずれか１つに記載の録画再生装置。
【請求項５】
前記視聴者情報出力部は、電話回線を介して前記視聴者情報を送出することを特徴とする請求項１から４のいずれか１つに記載の録画再生装置。
【請求項６】
録画再生方法であって、
入力された映像信号を録画部において圧縮処理する録画ステップと、
前記圧縮処理された信号をランダムアクセス可能な記憶媒体に記憶するステップと、
前記記憶媒体に記憶された信号を再生部において伸長処理する再生ステップと、
タイムシフト部において前記録画ステップと前記再生ステップとを制御して録画中におけるタイムシフト再生を行うステップと、
視聴者情報出力部において視聴者の視聴状況を処理して視聴者情報を外部に送出する視聴者情報出力ステップと、
外部情報処理部において、前記送出された視聴者情報を用いて集計された視聴率情報を取り込んで処理し、該処理結果に基づいて前記タイムシフト部の動作を制御する外部情報処理ステップと、
前記タイムシフト再生時に、圧縮部において、前記視聴率情報に応じた異なる圧縮率で前記記憶媒体から読み出した信号を圧縮する圧縮ステップと、
を具備することを特徴とする録画再生方法。
【請求項７】
録画再生方法であって、
入力された映像信号を録画部において圧縮処理する録画ステップと、
前記圧縮処理された信号をランダムアクセス可能な記憶媒体に記憶するステップと、
前記記憶媒体に記憶された信号を再生部において伸長処理する再生ステップと、
タイムシフト部において前記録画ステップと前記再生ステップとを制御して録画中におけるタイムシフト再生を行うステップと、
視聴者情報出力部において視聴者の視聴状況を処理して視聴者情報を外部に送出する視聴者情報出力ステップと、
外部情報処理部において、前記送出された視聴者情報を用いて集計された視聴率情報を取り込んで処理し、該処理結果に基づいて前記タイムシフト部の動作を制御する外部情報処理ステップと、
前記録画時に、圧縮部において、前記視聴率情報に応じた異なる圧縮率で前記記憶媒体に記憶される信号を圧縮する圧縮ステップと、
を具備することを特徴とする録画再生方法。
【請求項８】
前記視聴者情報は、リアルタイムで視聴の有無を識別する情報であることを特徴とする請求項６または７に記載の録画再生方法。
【発明の詳細な説明】
【０００１】
【発明の属する技術分野】
本発明は、タイムシフト再生機能を提供する録画再生装置および録画再生方法に関する。
【０００２】
【従来の技術】
図４は、タイムシフト再生機能を有する従来の録画再生装置の構成を示す図である。このような録画再生装置は、入力インタフェース（ＩＦ）１０、録画部１１、記憶媒体１２、再生部１３、出力インタフェース（ＩＦ）１４、タイムシフト部１５により構成される。
【０００３】
録画部１１は、入力インタフェース１０から取り込まれるテレビ放送などの信号に対して圧縮処理を行い、記憶媒体１２や再生部１３に対してデータの出力動作を行う。再生部１３は、記憶媒体１２や録画部１１から出力される圧縮されたデータに対して伸張処理を行い、出力インタフェース１４へ出力する動作を行う。
【０００４】
また、タイムシフト部１５は、録画部１１と再生部１３とを同時に制御して、録画を継続して実行しながら、既に録画された部分に戻って再生する動作を行なう。
【０００５】
上記した録画再生装置において、タイムシフト早送り再生を行う際に、定倍速による早送りを行なう手法は、特開２０００−３５０１３０号公報、特開平１０−０５６６２０号公報、特開平８−２７９２７３号公報等に開示されている。
【０００６】
【発明が解決しようとする課題】
上記のタイムシフト早送り再生を行う際に、定倍速による早送りを行う録画再生装置は、視聴者が欲する内容については優先的に視聴するといった、効率的な再生を行なうことができなかった。
【０００７】
本発明はこのような課題に着目してなされたものであり、その目的とするところは、視聴率等の外部情報に基づいて再生信号を圧縮することで、視聴者が欲する内容を効率的に再生することができる録画再生装置及び録画再生方法を提供することにある。
【０００８】
【課題を解決するための手段】
上記の目的を達成するために、本発明の第１の態様は、録画再生装置であって、入力された映像信号を圧縮処理する録画部と、前記圧縮処理された信号を記憶するランダムアクセス可能な記憶媒体と、前記記憶媒体に記憶された信号を伸長処理する再生部と、前記録画部と前記再生部とを制御して録画中におけるタイムシフト再生を行うタイムシフト部と、視聴者の視聴状況を処理して視聴者情報を外部に送出する視聴者情報出力部と、前記送出された視聴者情報を用いて集計された視聴率情報を取り込んで処理し、該処理結果に基づいて前記タイムシフト部の動作を制御する外部情報処理部と、前記タイムシフト再生時に、前記視聴率情報に応じた異なる圧縮率で前記記憶媒体から読み出した信号を圧縮する圧縮部と、を具備する。
【０００９】
また、本発明の第２の態様は、録画再生装置であって、録画再生装置であって、入力された映像信号を圧縮処理する録画部と、前記圧縮処理された信号を記憶するランダムアクセス可能な記憶媒体と、前記記憶媒体に記憶された信号を伸長処理する再生部と、前記録画部と前記再生部とを制御して録画中におけるタイムシフト再生を行うタイムシフト部と、視聴者の視聴状況を処理して視聴者情報を外部に送出する視聴者情報出力部と、前記送出された視聴者情報を用いて集計された視聴率情報を取り込んで処理し、該処理結果に基づいて前記タイムシフト部の動作を制御する外部情報処理部と、前記録画時に、前記視聴率情報に応じた異なる圧縮率で前記記憶媒体に記憶される信号を圧縮する圧縮部と、を具備する。
【００１０】
また、本発明の第３の態様は、第１または第２の態様において、前記視聴者情報は、リアルタイムで視聴の有無を識別する情報である。
【００１１】
また、本発明の第４の態様は、第１から第３のいずれか１つの態様において、前記外部情報処理部は、電話回線または放送波を介して前記視聴率情報を取り込む。
【００１２】
また、本発明の第５の発明は、第１から第４のいずれか１つの態様において、前記視聴者情報出力部は、電話回線を介して前記視聴者情報を送出する。
【００１３】
また、本発明の第６の態様は、録画再生方法であって、入力された映像信号を録画部において圧縮処理する録画ステップと、前記圧縮処理された信号をランダムアクセス可能な記憶媒体に記憶するステップと、前記記憶媒体に記憶された信号を再生部において伸長処理する再生ステップと、タイムシフト部において前記録画ステップと前記再生ステップとを制御して録画中におけるタイムシフト再生を行うステップと、視聴者情報出力部において視聴者の視聴状況を処理して視聴者情報を外部に送出する視聴者情報出力ステップと、外部情報処理部において、前記送出された視聴者情報を用いて集計された視聴率情報を取り込んで処理し、該処理結果に基づいて前記タイムシフト部の動作を制御する外部情報処理ステップと、前記タイムシフト再生時に、圧縮部において、前記視聴率情報に応じた異なる圧縮率で前記記憶媒体から読み出した信号を圧縮する圧縮ステップと、を具備する。
【００１４】
また、本発明の第７の態様は、録画再生方法であって、入力された映像信号を録画部において圧縮処理する録画ステップと、前記圧縮処理された信号をランダムアクセス可能な記憶媒体に記憶するステップと、前記記憶媒体に記憶された信号を再生部において伸長処理する再生ステップと、タイムシフト部において前記録画ステップと前記再生ステップとを制御して録画中におけるタイムシフト再生を行うステップと、視聴者情報出力部において視聴者の視聴状況を処理して視聴者情報を外部に送出する視聴者情報出力ステップと、外部情報処理部において、前記送出された視聴者情報を用いて集計された視聴率情報を取り込んで処理し、該処理結果に基づいて前記タイムシフト部の動作を制御する外部情報処理ステップと、前記録画時に、圧縮部において、前記視聴率情報に応じた異なる圧縮率で前記記憶媒体に記憶される信号を圧縮する圧縮ステップと、を具備する。
【００１５】
また、本発明の第８の態様は、第６または第７の態様において、前記視聴者情報は、リアルタイムで視聴の有無を識別する情報である。
【００１８】
【発明の実施の形態】
以下、図面を参照して本発明の実施の形態を詳細に説明する。図１は本発明に係る録画再生装置の第１実施形態を示すブロック図である。
【００１９】
図１の録画再生装置は、入力インタフェース（ＩＦ）１０、録画部１１、記憶媒体１２、再生部１３、出力インタフェース（ＩＦ）１４、タイムシフト部１５、外部情報処理部１６、視聴者情報出力部１７により構成されている。
【００２０】
録画部１１は、入力インタフェース１０から取り込まれるテレビ放送などの信号に対して圧縮処理を行い、記憶媒体１２や再生部１３に対してデータの出力動作を行う。再生部１３は、記憶媒体１２や録画部１１から出力される圧縮されたデータに対して伸張処理を行い、出力インタフェース１４へ出力する動作を行なう。タイムシフト部１５は、録画部１１と再生部１３とを同時に制御し、録画を継続して実行しながら、既に録画された部分に戻って再生する制御を行う。
【００２１】
また、外部情報処理部１６は、放送波や通信回線等を介して獲得した外部情報としてのリアルタイム視聴率情報を処理し、処理結果に基づいてタイムシフト部１５の動作を制御する。視聴者情報出力部１７は、視聴者の視聴状況（視聴の有無をリアルタイムで識別する）を処理し、視聴者情報を通信回線を介して外部の視聴率集計会社等に送出する。
【００２２】
なお、外部への情報送出手段と外部からの情報取り込み手段としては、電話回線、インターネットやＣＡＴＶ等を介しての情報伝送の他に、携帯電話等の無線手段を介して情報が伝送されることもある。
【００２３】
ここで、具体例を用いて第１実施形態をさらに説明する。例えばＴＶ放送でサッカーが中継されており、視聴者がタイムシフト早送り再生をして現放送に追いつきたい場合を考える。直前の視聴率情報がリアルタイムに放送波から送信されてくるとすると、外部情報処理部１６はこの視聴率情報をリアルタイムに取り込み、視聴率が２０％以上の部分に関しては１倍速、１０〜２０％の部分については２倍速、１０％以下の部分については３倍速となるようにタイムシフト部１５を制御してタイムシフト早送り再生を行う。例えば、得点シーンなどの高視聴率部分は１倍速、ハーフタイムなどの低視聴率部分は３倍速、それ以外の部分は２倍速となるようにタイムシフト部１５を制御することにより、視聴者が欲する内容を効率的に再生することができる。
【００２４】
また、視聴率の時間変化が増加する方向に大きい部分に関しては時間を掛けてすなわち圧縮率を小さくし、視聴率の時間変化が低い部分に関しては圧縮率を大きくすることで、視聴率の変化をも考慮したタイムシフト再生を行うことが出来る。
【００２５】
上記の説明から広告に関してはタイムシフト早送り再生時に視聴率が低いと想定されるので、広告の部分は自動的に高圧縮となることが予想され、これによって広告圧縮の効果がある事が分かる。また逆に、広告を識別する機能を録画再生装置に持たせることで、広告に関しては早送りをせず、広告以外の個所に関して早送り再生を行うことも可能であり、広告を尊重した早送り再生を行なうことも可能である。
【００２６】
図２は本発明の第１実施形態に係る録画再生方法を説明するための図である。第１実施形態では、タイムシフト再生時に外部情報処理部（圧縮部）１６は、記憶媒体１２から出力された圧縮されたデータを再生部１３で再生する過程において、得られた視聴率情報を外部情報１６−１として用いて再生データを圧縮する。このような方法によれば、タイムシフト再生時に視聴者が欲する内容を効率的に圧縮することができる。
【００２７】
図３は本発明の第２実施形態に係る録画再生方法を説明するための図である。第２実施形態では、録画時に外部情報処理部（圧縮部）１６は、録画部１１から記憶媒体１２に記憶する過程において、得られた視聴率情報１６−１を外部情報として用いて録画データを圧縮する。このような方法によれば、録画時に視聴者が欲する内容を効率的に圧縮することができる。
【００２８】
【発明の効果】
本発明によれば、タイムシフト再生時に、視聴率情報等の外部情報に応じて再生信号を効率的に圧縮することができる。
【００２９】
また、本発明によれば、録画時に、視聴率情報等の外部情報に応じて映像信号を効率的に圧縮することができる。
【図面の簡単な説明】
【図１】本発明に係る録画再生装置の第１実施形態を示すブロック図である。
【図２】本発明の第１実施形態に係る録画再生方法を説明するための図である。
【図３】本発明の第２実施形態に係る録画再生方法を説明するための図である。
【図４】タイムシフト再生機能を有する従来の録画再生装置の構成を示す図である。
【符号の説明】
１０  入力ＩＦ
１１  録画部
１２  記憶媒体
１３  再生部
１４  出力ＩＦ
１５  タイムシフト部
１６  外部情報処理部
１６−１  外部情報
１７  視聴者情報出力部
１７−１  視聴者情報
【図１】
0003806003.tif 000002
【図２】
0003806003.tif 000003
【図３】
0003806003.tif 000004
【図４】
0003806003.tif 000005